(57)【要約】【課題】水面下に廃棄物を投棄する廃棄物最終処分場に敷設するのに好適で、水面上の所定位置に移送することや破損させないようにゆっくりとした速度で水中に敷設することが容易にできる二重遮水シートを提供する。【解決手段】二重遮水シートを、長方形の上方遮水シート１と下方遮水シート２とが対向した状態でその四周端縁が互いに密着されて成る密閉された袋状部３内に、粘土状のベントナイトを不織布等で挟持させた止水材又は乾燥したベントナイトと珪砂とを不織布で挟持させた止水材が配備されており水中に沈下する比重の二重遮水シートであって、空気の注入及び排出を行うための弁５を有し空気が注入されると二重遮水シートを水面上に浮上せしめた状態に維持する複数本のチューブ状の浮力体６が浮力体取り付け部材６ａによって二重遮水シートの幅方向に所定間隔を設けて取り付けられている構造にする。【選択図】        図９
2004150112.tif 000002
【特許請求の範囲】
【請求項１】
長方形の上方遮水シート（１）と下方遮水シート（２）とが対向した状態でその四周端縁を互いに密着されて成る密閉された袋状部（３）内に、該上方遮水シート（１）側から織布又は不織布から成る上布（４ａ），粘土状のベントナイト（４ｂ），不織布から成る下布（４ｃ）の順に配置されて一体化されていて該袋状部（３）と略同じ大きさを有する止水材（４）が配備されており敷設場所の水中に沈下する比重の二重遮水シートであって、一方の端部が閉塞されていて他方の端部に空気の注入及び排出を行うための弁（５）を有し二重遮水シートの長手方向の長さと略同じ長さを有しており空気が注入されると二重遮水シートを敷設場所の水面上に浮上せしめた状態に維持する複数本のチューブ状の浮力体（６）が前記上方又は下方遮水シート（１又は２）に固定されている浮力体取り付け部材（６ａ）によって二重遮水シートの幅方向に所定間隔を設けて取り付けられていることを特徴とする二重遮水シート。
【請求項２】
袋状部（３）と略同じ大きさの中間不織布（７）が上方遮水シート（１）と止水材（４）との間に更に配備されている請求項１に記載の二重遮水シート。
【請求項３】
長方形の上方遮水シート（１）と下方遮水シート（２）とが対向した状態でその四周端縁が互いに密着されて成る密閉された袋状部（３）内に、該上方遮水シート（１）側から不織布から成る第一布（４ｄ），乾燥状態の珪砂（４ｅ），不織布から成る第二布（４ｆ），乾燥状態のベントナイト（４ｇ），不織布から成る第三布（４ｈ）の順に配置されニードルパンチにより一体化されていて該袋状部（３）と略同じ大きさを有する止水材（４）が配備されており敷設場所の水中に沈下する比重の二重遮水シートであって、一方の端部が閉塞されていて他方の端部に空気の注入及び排出を行うための弁（５）を有し二重遮水シートの長手方向の長さと略同じ長さを有しており空気が注入されると二重遮水シートを敷設場所の水面上に浮上せしめた状態に維持する複数本のチューブ状の浮力体（６）が前記上方又は下方遮水シート（１又は２）に固定されている浮力体取り付け部材（６ａ）によって二重遮水シートの幅方向に所定間隔を設けて取り付けられていることを特徴とする二重遮水シート。
【請求項４】
袋状部（３）内の空気を吸引するための吸引弁（８）が更に設けられている請求項２又は３に記載の二重遮水シート。
【請求項５】
吸引弁（８）が上方遮水シート（１）又は下方遮水シート（２）の外面側に設けられている請求項４に記載の二重遮水シート。
【請求項６】
浮力体（６）が上方遮水シート（１）の外面側に取り付けられている請求項１から５までのいずれか１項に記載の二重遮水シート。
【請求項７】
浮力体（６）が上方遮水シート（１）の内面側に取り付けられている請求項１から５までのいずれか１項に記載の二重遮水シート。
【請求項８】
浮力体（６）が下方遮水シート（２）の外面側に取り付けられている請求項１から５までのいずれか１項に記載の二重遮水シート。
【請求項９】
浮力体（６）の閉塞されていない他方の端部同士を連通する連通部（９）が更に設けられている請求項１から８までのいずれか１項に記載の二重遮水シート。
【請求項１０】
連通部（９）が上方遮水シート（１）の外面側に取り付けられている請求項９に記載の二重遮水シート。
【請求項１１】
弁（５）が連通部（９）に設けられている請求項９又は１０に記載の二重遮水シート。
【請求項１２】
弁（５）と吸引弁（８）とが１つの多方弁から成る請求項４から１１までのいずれか１項に記載の二重遮水シート。
【発明の詳細な説明】
【０００１】
【発明の属する技術分野】
本発明は、敷設場所の水面上に浮かべた後に敷設場所の水中の所定位置に敷設するのに好適な二重遮水シートに関するものである。
【０００２】
【従来の技術】
廃棄物最終処分場では、廃棄物から出た有害物質が地下へと浸透して地下水を汚染する等の問題を未然に防ぐため、塩化ビニル等のシートやこれらのシートを二枚重ねた二重遮水シートを敷設するなどの防止策が講じられている。特に二重遮水シートはその内部に不織布等を設けることによって衝撃にも強く長期間に亘って遮水効果を保つことができるから、有害物質を浸透させ難い不透水性地層を持たない廃棄物最終処分場等で多く利用されている。
【０００３】
この二重遮水シートは、不織布に加えてその内部にベントナイトの如き粘土鉱物を配備することによって自己修復性を持たせたり、遮水性の向上を図ったりすることが可能な遮水シートであり、一般的には幅と長さがそれぞれ数メートルから数十メートルにも及ぶ巨大な形状のものが広大な廃棄物最終処分場に隙間なく敷設されるのである。
【０００４】
このような巨大な二重遮水シートはクローラクレーン等で持ち上げて敷設する必要があり、その際遮水シート等を傷付けず所定の位置に正確に敷設するためには多くの人員を配してゆっくりとした速度で敷設する必要があるが、手間と費用がかかる上に大変困難な作業であった。
【０００５】
更に水面下に廃棄物を投棄する廃棄物最終処分場に二重遮水シートを敷設する場合には、二重遮水シートはその内部に不織布などが配備されていて比較的比重が小さいから、二重遮水シートが浮かないようにバックホー等で押さえ付けたり土嚢で押さえるなどの作業が必要となり、作業の手間がかかるだけでなく二重遮水シートを破損させる原因となっているのである。また、二重遮水シートの比重を水の比重より大きくするためには、二重遮水シート内にどのようなものを配備するかが重要であり、また二重遮水シートの比重が部分的に大きく変化しないように二重遮水シート内に配備するものをどのような形態のものとするかなど様々な問題があるのである。
【０００６】
更に、巨大な二重遮水シートは、展開した状態を保ったまま水面上に仮置きすることが難しく、水の抵抗が大きいため水面上の所定位置に正確に移送したり、あるいは二重遮水シートがねじれたり折れ曲がったりしないように水中に敷設することも困難であった。
【０００７】
このような問題に対して、空気又は錘体を入れることができる収容体が遮水シートに取り付けられていて収容体に空気を入れて水上に浮かべた後に収容体に錘体を入れて水中に敷設する海中埋立処分場用遮水シートがある（例えば、特許文献１参照。）。しかしながら、収容体内に錘体を入れるのは大変煩雑な作業であり、また収容体が設置されている部分のみが局所的に重くなり遮水シート本体の比重が一様に大きくなるわけではないから、遮水シートを展開させた状態で所定の位置に正確に敷設することは難しく、更に敷設後も遮水シートがめくれ上がるなどの問題が生じるのである。
【０００８】
更に、表面に係止部が設けらた遮水シート本体とこの係止部に差し込み保持される中空形の空気浮子とから成り空気浮子に空気を入れて水上に浮かべた後に空気浮子を取り外して水中に敷設する遮水シートがある（例えば、特許文献２参照。）。しかしながら、水上で空気浮子を取り外すことは大変煩雑である上に、傾いたりねじれたりすることがないように空気浮子をバランス良く取り外さなければならず大変困難な作業が必要となるのである。
【０００９】
【特許文献１】
特開２００２−１２６６８３号公報  （第２−３頁）
【特許文献２】
特開平７−２２９１２８号公報  （第２頁）
【００１０】
また、それぞれの廃棄物最終処分場に応じた適切な比重を持つ二重遮水シートを作業現場で製作されることもあるが、工場で製作した場合に比べ品質管理が難しいため、シートの破損や接合部の不具合などを検査する必要があるにも拘らず、このような検査はほとんどなされていないのが現状である。
【００１１】
更に、工場で製作された二重遮水シートであっても、作業現場までの輸送途中に破損することも考えられるから、作業現場において最終的な検査が必要であるが、そのような検査はほとんどなされていないのが現状である。
【００１２】
【発明が解決しようとする課題】
本発明は、前記の問題に鑑み、水面下に廃棄物を投棄する廃棄物最終処分場に敷設するのに好適な二重遮水シートであって、水面上の所定位置に移送することや、錘などを用いなくてもゆっくりとした速度で水中に敷設することが容易で、更に好ましくは作業現場で破損の有無を検査することも可能な二重遮水シートを提供することを課題とする。
【００１３】
【課題を解決するための手段】
本発明者等は前記課題を解決すべく鋭意検討を重ねた結果、一方の端部が閉塞されていて他方の端部に空気の注入及び排出を行うための弁を有し二重遮水シートの長手方向の長さと略同じ長さを有しており空気が注入されると二重遮水シートを敷設場所の水面上に浮上せしめた状態に維持する複数本のチューブ状の浮力体を、上方又は下方遮水シートに固定されている浮力体取り付け部材によって二重遮水シートの幅方向に所定間隔を設けて取り付ければ、浮力体に空気を注入するだけで展開した状態を保ったまま二重遮水シートを水面上に浮かべたり水面上を移送させたりすることが容易で、また二重遮水シートはその袋状部内は粘土状のベントナイトを不織布等で挟持させた止水材又は乾燥したベントナイトと珪砂とを不織布で挟持させた止水材を配備したものとすれば、各浮力体から徐々に空気を排出させるだけでゆっくりと水中に沈下させることができ、その結果二重遮水シートを破損させることなく所定の位置に確実に敷設することができることを究明して本発明を完成したのである。
【００１４】
即ち本発明は、長方形の上方遮水シートと下方遮水シートとが対向した状態でその四周端縁を互いに密着されて成る密閉された袋状部内に、該上方遮水シート側から織布又は不織布から成る上布，粘土状のベントナイト，不織布から成る下布の順に配置されて一体化されていて該袋状部と略同じ大きさを有する止水材が配備されており敷設場所の水中に沈下する比重の二重遮水シートであって、一方の端部が閉塞されていて他方の端部に空気の注入及び排出を行うための弁を有し二重遮水シートの長手方向の長さと略同じ長さを有しており空気が注入されると二重遮水シートを敷設場所の水面上に浮上せしめた状態に維持する複数本のチューブ状の浮力体が前記上方又は下方遮水シートに固定されている浮力体取り付け部材によって二重遮水シートの幅方向に所定間隔を設けて取り付けられていることを特徴とする二重遮水シートと、
長方形の上方遮水シートと下方遮水シートとが対向した状態でその四周端縁が互いに密着されて成る密閉された袋状部内に、該上方遮水シート側から不織布から成る第一布，乾燥状態の珪砂，不織布から成る第二布，乾燥状態のベントナイト，不織布から成る第三布の順に配置されニードルパンチにより一体化されていて該袋状部と略同じ大きさを有する止水材が配備されており敷設場所の水中に沈下する比重の二重遮水シートであって、一方の端部が閉塞されていて他方の端部に空気の注入及び排出を行うための弁を有し二重遮水シートの長手方向の長さと略同じ長さを有しており空気が注入されると二重遮水シートを敷設場所の水面上に浮上せしめた状態に維持する複数本のチューブ状の浮力体が前記上方又は下方遮水シートに固定されている浮力体取り付け部材によって二重遮水シートの幅方向に所定間隔を設けて取り付けられていることを特徴とする二重遮水シートとに関するものである。
【００１５】
また、袋状部内に上方遮水シート側から織布又は不織布から成る上布，粘土状のベントナイト，不織布から成る下布の順に配置されて一体化されている止水材が配備されている二重遮水シートにおいては、袋状部と略同じ大きさの中間不織布が上方遮水シートと止水材との間に更に配備されていると衝撃吸収性が向上して好ましく、更にこの中間不織布が設けられている態様の二重遮水シートや上方遮水シート側から不織布から成る第一布，乾燥状態の珪砂，不織布から成る第二布，乾燥状態のベントナイト，不織布から成る第三布の順に配置されニードルパンチにより一体化されている止水材が配備されている態様の二重遮水シートにおいては、袋状部内の空気を吸引するための吸引弁が更に設けられているとこの吸引弁から袋状部内の空気を吸引することによって二重遮水シートの比重を微調整できるばかりでなく、吸引直後の二重遮水シート内の圧力と所定時間経過後の圧力とを比較することによって二重遮水シートの破損の有無や接合部の不具合などを簡単に検査することができ、更に吸引弁が上方遮水シート又は下方遮水シートの外面側に設けられていると容易に袋状部内の空気の吸引を行うことができ、また浮力体が上方遮水シートの外面側又は下方遮水シートの外面側に取り付けられていると浮力体の取り付けが容易で簡単に取り扱うことができ、また浮力体が上方遮水シートの内面側に取り付けられていると浮力体を袋状部内に位置させることになるから浮力体を破損し難くすることができるため二重遮水シートを確実に水上に浮かべることができ、また浮力体の閉塞されていない他方の端部同士を連通する連通部が更に設けられていると各浮力体の空気圧は等しくなるから二重遮水シートを水平な状態で水面上に浮かせたり形状を保ったまま水中に沈下させたりすることが容易にでき、更に連通部が上方遮水シートの外面側に取り付けられていると容易に取り扱うことができ、また弁が連通部に設けられていると１つの弁で各浮力体に同時に空気を注入したり各浮力体から空気を均等に抜いたりすることができ、更に弁と吸引弁とが１つの多方弁から成ると複数の弁を取り付ける負担が軽減されて好ましいことも究明したのである。
【００１６】
【発明の実施の形態】
以下、図面を用いて本発明に係る二重遮水シートについて詳細に説明する。
図１は本発明に係る二重遮水シートの１実施例の斜視説明図、図２は図１におけるＡ−Ａ線部分で切断した状態を示す説明用斜視図、図３は本発明に係る二重遮水シートの他の実施例の斜視説明図、図４は本発明に係る二重遮水シートの更に他の実施例の斜視説明図、図５は第一布，乾燥状態の珪砂，第二布，乾燥状態のベントナイト，第三布の順に配置されニードルパンチにより一体化されている止水材の構造を示す断面説明図、図６は図１おける二重遮水シートを敷設場所の水面上に浮かべ仮置きした状態を示す側面説明図、図７は図１おける二重遮水シートの端部を法肩に位置させた状態で水面上に浮かべた状態を示す側面説明図、図８は浮力体から空気を排出させることによって図７の状態の二重遮水シートを水中に敷設した状態を示す側面説明図、図９は吸引弁が設けられている本発明に係る二重遮水シートの更に他の実施例の斜視説明図、図１０は本発明に係る二重遮水シート内の密閉状態の検査方法を示す概略説明図、図１１は破損箇所がなく袋状部が密閉されている二重遮水シートと種々の大きさの穴が存在して袋状部が密閉されていない複数の二重遮水シートとを同一条件下で減圧してその後の袋状部内の圧力変化を測定した測定結果を示した図である。
【００１７】
図面中、１は二重遮水シートの２枚の遮水シートのうち敷設場所に敷設された際に上方に位置する長方形の上方遮水シートである。後述するように本発明に係る二重遮水シートでは比重の大きい止水材４を使用するため、従来、物性は優れているものの比重が小さいために水中に敷設するタイプの遮水シートとしては使用されることがなかったポリエチレン製やポリプロピレン製のシートが上方遮水シート１として好ましく利用でき、これにより経時劣化し易い塩化ビニルシートのように可塑剤が溶出して劣化することがないため長期に亘って遮水効果を維持できる。
【００１８】
２は上方遮水シート１と対向した状態で下方側に位置する長方形の下方遮水シートであり、この下方遮水シート２としては前記上方遮水シート１と同様にポリエチレン製やポリプロピレン製のシートが好ましく利用できる。またその他に、下方遮水シート２及び前記上方遮水シート１としては、ポリエステル，ポリアミド，ポリ塩化ビニル等の合成樹脂シートも使用することができる。
【００１９】
３は長方形の上方遮水シート１と下方遮水シート２とが対向した状態でその四周端縁を互いに密着されて成る密閉された袋状部であり、この袋状部３内に後述する止水材４が配備される。
【００２０】
４は上方遮水シート１側から織布又は不織布から成る上布４ａ，粘土状のベントナイト４ｂ，不織布から成る下布４ｃの順に配置されて一体化されていて袋状部３と略同じ大きさを有し袋状部３内に配備される止水材、又は上方遮水シート１側から不織布から成る第一布４ｄ，乾燥状態の珪砂４ｅ，不織布から成る第二布４ｆ，乾燥状態のベントナイト４ｇ，不織布から成る第三布４ｈの順に配置されニードルパンチにより一体化されていて袋状部３と略同じ大きさを有し袋状部３内に配備される止水材である。前者の止水材４においては、ベントナイト４ｃが比重の大きな粘土状で上布４ａと下布４ｂとに挟持されていてその粘着力に一体化されており、後者の止水材４においては、比重の大きな乾燥状態の珪砂４ｅと乾燥状態のベントナイト４ｇとが不織布から成る第一布４ｄ，第二布４ｆ及び第三布４ｈに挟持されてニードルパンチにより一体化されているから、本発明に係る二重遮水シートを敷設場所の水中に沈下する比重にすることができるのである。
【００２１】
５は後述する浮力体６の他方の端部に空気の注入及び排出を行うために設けられている弁であり、この弁５は図３に示すように各浮力体６毎にそれぞれ設けられていたり、図１に示ように後述する連通部９が更に設けられている態様の場合には連通部９に１つだけ設けられていると好ましい。
【００２２】
６は一方の端部が閉塞されていて他方の端部に空気の注入及び排出を行うための前記弁５を有し二重遮水シートの長手方向の長さと略同じ長さを有しており空気が注入されると二重遮水シートを敷設場所の水面上に浮上せしめた状態に維持する複数本のチューブ状の浮力体であり、上方遮水シート１又は下方遮水シート２に固定されている浮力体取り付け部材６ａによって二重遮水シートの幅方向に所定間隔を設けて取り付けられている。また、この浮力体６が上方遮水シート１の外面側に取り付けられていたり、下方遮水シート２の外面側に取り付けられていたりすると、浮力体６は二重遮水シートの外部に取り付けられることになるから取り付けが容易で簡単に取り扱うことができて好ましく、また浮力体６が上方遮水シート１の内面側に取り付けられていると、浮力体６を袋状部３内に位置させることになるから破損し難い利点がある。
【００２３】
７は、上方遮水シート１側から織布又は不織布から成る上布４ａ，粘土状のベントナイト４ｂ，不織布から成る下布４ｃの順に配置されて一体化されていて袋状部３と略同じ大きさを有する止水材４が袋状部３内に配備されている態様において、袋状部３と略同じ大きさを有し上方遮水シート１と止水材４との間に更に配備されている中間不織布であり、この中間不織布７としては長繊維不織布、短繊維不織布、反毛フェルト又はジオコンポジットなどを使用することができる。
【００２４】
８は、上方遮水シート１側から織布又は不織布から成る上布４ａ，粘土状のベントナイト４ｂ，不織布から成る下布４ｃの順に配置されて一体化されていて袋状部３と略同じ大きさを有する止水材４が袋状部３内に配備されていて且つ袋状部３と略同じ大きさの中間不織布７が上方遮水シート１と止水材４との間に更に配備されている態様や、上方遮水シート１側から不織布から成る第一布４ｄ，乾燥状態の珪砂４ｅ，不織布から成る第二布４ｆ，乾燥状態のベントナイト４ｇ，不織布から成る第三布４ｈの順に配置されニードルパンチにより一体化されていて袋状部３と略同じ大きさを有する止水材４が袋状部３内に配備されている態様において、袋状部３内の空気を吸引するために更に設けられている吸引弁であり、この吸気弁８が上方遮水シート１又は下方遮水シート２の外面側に設けられていると、容易に吸引を行うことができて好ましい。また、吸引弁８と弁５とが１つの多方弁から成ると複数の弁を取り付ける負担が軽減されるから好ましい。
【００２５】
９は浮力体６の閉塞されていない他方の端部同士を連通するために更に設けられている連通部であり、この連通部９が設けらていると各浮力体６の空気圧は等しくなるから二重遮水シートを水平な状態で水面上に浮かせたり形状を保ったまま水中に沈下させたりすることが容易にできて好ましい。また連通部９が上方遮水シート１の外面側に取り付けられていると取り扱い易いので好ましく、更に連通部９に弁５が設けられていると１つの弁で各浮力体６に同時に空気を注入したり各浮力体６から空気を均等に抜いたりすることができて好ましいのである。
【００２６】
このような構成を有する本発明に係る二重遮水シートとしては、図１に示した実施例では浮力体６が２本装着されていて、これらの浮力体６は連通部９によって連通されており、この連通部９の中央部に弁５が設けられているが、浮力体６の本数が１本では二重遮水シートを水面上に浮かべた際に展開させた状態を維持することが難しいので複数本設けられている必要があるが、その本数は図１のように必ずしも２本である必要はなく、図４のように３本設けられていてもよく、二重遮水シートの幅に合わせて装着する浮力体６の本数を決めればよい。また、弁５は図３のように各浮力体６毎に設けられていてもよいが、連通部９が設けられている場合には１つの弁５で各浮力体６への空気の注入及び排出を行えば、各浮力体６に均等に空気が注入できるから二重遮水シートを水面上に浮かべた際に二重遮水シートが傾くことがなく、また各浮力体６から均等に空気が排出できるから二重遮水シートを展開させた状態で水中に敷設できるのである。また図２に示すように袋状部３内の上方遮水シート１側に中間不織布７が配備されている態様の場合には、衝撃吸収作用があり二重遮水シートが破損し難く、更に中間不織布７は通気性が良いので弁５から袋状部３全体の空気を吸引できるのである。
【００２７】
このような構成の本発明に係る二重遮水シートを実際に廃棄物最終処分場に敷設するには、水面上に浮かべられた台船（図示せず）から浮力体６に空気を注入して図６のように二重遮水シートを水面上に仮置きし、その後クローラクレーン等（図示せず）で二重遮水シートの端部を法肩へと引き上げて図７のように所定の位置に設置し、浮力体６から空気を排出させて図８のように水中に敷設するのである。なお、二重遮水シートを敷設する前に図６〜７のように法肩の斜面に沿って下地砕石を敷き詰めその上に二重遮水シートを傷めないように不織布から成る保護マットを敷設したり、図示していないが二重遮水シートを敷設後に二重遮水シート上に保護マットを敷設して更にその上に被覆材を敷き詰めることで、より一層本発明に係る二重遮水シートの遮水効果を高めることもできる。
【００２８】
また、本発明に係る二重遮水シートとしては図９に示す実施例のように吸気弁８が設けられている態様があり、このように吸気弁８が設けられている態様では吸気弁８から袋状部３内の空気を吸引し、吸引終了後と吸引終了から所定時間経過した後に袋状部３内の圧力を測定することで遮水シートの破損や接合部の不具合などを検査することができるのである。この検査は、作業現場で二重遮水シートを製作した場合には製作完了後に、工場等で製作されたものは作業現場に移送後に、例えば図１０のような検査装置を装着して行うのである。なお、袋状部３内の止水材４における止水効果を発揮する物質が粘土状のベントナイト４ｃである場合にはこのベントナイト４ｃは水分を含んでなっているので、空気だけでなく水も吸引されることがあるので二重遮水シートと真空ポンプとの間に気水分離器を設けておくことが好ましい。
【００２９】
このように袋状部３内の空気を真空ポンプによって吸引し、吸引終了後に袋状部３内の圧力を測定すると共に吸引終了から所定時間経過した後に再度圧力を測定してこれらの圧力の値を比較することで二重遮水シートの破損状態を調べた場合の実施例を以下に示す。
【００３０】
【実施例】
破損箇所がなく袋状部３が密閉されている二重遮水シートと大きさの異なる穴を穿設していて袋状部３が密閉されていない複数の二重遮水シートとを同一条件下で減圧してその後の袋状部３内の圧力変化を測定して穴の有無あるいは穴の大きさによって圧力に明確な差異が表れるか否かについて試験を行った。
即ち、上方遮水シート１及び下方遮水シート２として幅５ｍ、長さ１０ｍの高強度軟質性ポリエチレンシート（東ソー・ニッケミ（株）製，商品名：ニポロンシートＳＳ）を使用し、この長方形の上方遮水シート１と下方遮水シート２とが対向した状態でその四周端縁を互いに溶着させて構成する密閉された袋状部３内に織布又は不織布から成る上布４ａ，粘土状のベントナイト４ｂ，不織布から成る下布４ｃの順に配置されて一体化されていて袋状部３と略同じ大きさを有する止水材４（岡三リビック（株）製，商品名：ローマットＨＤＢ）と厚さ１０ｍｍの短繊維不織布から成る中間不織布７を挿入して形成した二重遮水シート上に図９に示すように吸引弁８を設け、その先端に図１０に示すように検査装置を取り付けて、破損箇所のない二重遮水シートと１ｍｍ四方、３ｍｍ四方、５０ｍｍ四方の正方形の穴がそれぞれ１つずつ穿設した４種類の二重遮水シートとについて３分間吸引しながら圧力を測定し、吸引終了後も引き続き１０分間の圧力測定を行った。
【００３１】
その結果、図１１に示すように３分間吸引した直後の各二重遮水シートの圧力を対比すると、５０ｍｍ四方の穴を有する二重遮水シートは所定の真空度まで達しなていないのに対して、その他の二重遮水シートは全て所望の真空度となっていたことから、５０ｍｍ四方のような大きな穴がある場合には、吸引終了後時間をおいてから再度圧力を測定するまでもなく、容易に破損していることが判別できることが判明した。そして、穴が存在しない二重遮水シートの圧力は吸引終了後に一時的に真空度が下がっているが、これは吸引時に使用したホースなどに残っていた残留空気などによる影響であり、その後真空度が略一定値となることからも判明するように空気漏れによる現象ではない。これに対し、１ｍｍ四方と３ｍｍ四方の穴が存在する二重遮水シートは、残留空気による影響と考えられる真空度の低下後も真空度は下がり続け、１０分程度の短時間で略大気圧に近い状態になることが判明した。これより、通常目視では識別できないような１ｍｍ四方のような小さな穴が存在していても、穴の存在の有無を短時間で確実に判別できることが確認できた。
【００３２】
【発明の効果】
以上に詳述したように本発明に係る二重遮水シートは、一方の端部が閉塞されていて他方の端部に空気の注入及び排出を行うための弁を有し二重遮水シートの長手方向の長さと略同じ長さを有しており空気が注入されると二重遮水シートを敷設場所の水面上に浮上せしめた状態に維持する複数本のチューブ状の浮力体を、上方又は下方遮水シートに固定されている浮力体取り付け部材によって二重遮水シートの幅方向に所定間隔を設けて取り付けられていて、二重遮水シートを敷設場所の水中に沈下する比重にすることができる粘土状のベントナイトを不織布等で挟持させた止水材又は乾燥したベントナイトと珪砂とを不織布で挟持させた比重の大きな止水材を二重遮水シートの袋状部内に配備させているので、浮力体に空気を注入するだけで展開した状態を保ったまま二重遮水シートを敷設場所の水面上に浮かべたり水面上を移送することが容易で、また各浮力体から徐々に空気を排出させることによって二重遮水シートをゆっくりと水中に沈下させることができるので、二重遮水シートを破損させることなく敷設場所の所定位置に確実に敷設することができるのである。
【００３３】
また、二重遮水シートが破損して袋状部内に水が侵入してきた場合に、袋状部内に配備させている止水材は、織布又は不織布から成る上布，粘土状のベントナイト，不織布から成る下布の順に配置されて一体化されている態様の場合には粘土状のベントナイトが、不織布から成る第一布，乾燥状態の珪砂，不織布から成る第二布，乾燥状態のベントナイト，不織布から成る第三布の順に配置されニードルパンチにより一体化されている態様の場合には乾燥状態のベントナイトが
、それぞれ膨潤して自己修復性を発揮するから、遮水効果を維持することができるので長期間にわたる使用が可能となるのである。
【００３４】
そして、袋状部内に上方遮水シート側から織布又は不織布から成る上布，粘土状のベントナイト，不織布から成る下布の順に配置されて一体化されていて袋状部と略同じ大きさを有する止水材が配備されている二重遮水シートにおいて、袋状部と略同じ大きさの中間不織布が上方遮水シートと止水材との間に更に配備されていると、その中間不織布により衝撃吸収性を向上させることができ、更にこの中間不織布が設けられている態様の二重遮水シートや上方遮水シート側から不織布から成る第一布，乾燥状態の珪砂，不織布から成る第二布，乾燥状態のベントナイト，不織布から成る第三布の順に配置されニードルパンチにより一体化されていて袋状部と略同じ大きさを有する止水材が配備されている態様の二重遮水シートにおいては、袋状部内の空気を吸引するための吸引弁が更に設けられていると、吸引弁から袋状部内の空気を吸引することによって二重遮水シートの比重を微調整できる上に、吸引直後の二重遮水シート内の圧力と所定時間経過後の圧力とを比較することによって二重遮水シートの破損の有無や接合部の不具合などを簡単に検査することができるのである。
【００３５】
更に吸引弁が上方遮水シート又は下方遮水シートの外面側に設けられていると、容易に吸引を行うことができ、また浮力体が上方遮水シートの外面側又は下方遮水シートの外面側に取り付けられていると、浮力体の取り付けが容易で簡単に取り扱うことができ、また浮力体が上方遮水シートの内面側に取り付けられていると、浮力体は袋状部内に位置させることになるから破損し難く、また浮力体の閉塞されていない他方の端部同士を連通する連通部が更に設けられていると、各浮力体の空気圧は等しくなるから二重遮水シートを水平な状態で水面上に浮かせたり形状を保ったまま水中に沈下させたりすることが容易にでき、更に連通部が上方遮水シートの外面側に取り付けられていると容易に取り扱うことができ、また弁が連通部に設けられていると１つの弁で各浮力体に同時に空気を注入したり各浮力体から空気を均等に抜いたりすることができ、更に弁と吸引弁とが１つの多方弁から成ると複数の弁を取り付ける負担を軽減することができるのである。
【００３６】
このような種々の効果を奏する本発明に係る二重遮水シートの工業的価値は非常に大きなものである。
【図面の簡単な説明】
【図１】本発明に係る二重遮水シートの１実施例の斜視説明図である。
【図２】図１におけるＡ−Ａ線部分で切断した状態を示す説明用斜視図である。
【図３】本発明に係る二重遮水シートの他の実施例の斜視説明図である。
【図４】本発明に係る二重遮水シートの更に他の実施例の斜視説明図である。
【図５】第一布，乾燥状態の珪砂，第二布，乾燥状態のベントナイト，第三布の順に配置されニードルパンチにより一体化されている止水材の構造を示す断面説明図である。
【図６】図１おける二重遮水シートを敷設場所の水面上に浮かべ仮置きした状態を示す側面説明図である。
【図７】図１おける二重遮水シートの端部を法肩に位置させた状態で水面上に浮かべた状態を示す側面説明図である。
【図８】浮力体から空気を排出させることによって図７の状態の二重遮水シートを水中に敷設した様子を示す側面説明図である。
【図９】吸引弁が設けられている本発明に係る二重遮水シートの更に他の実施例の斜視説明図である。
【図１０】本発明に係る二重遮水シート内の密閉状態の検査方法を示す概略説明図である。
【図１１】破損箇所がなく袋状部が密閉されている二重遮水シートと種々の大きさの穴が存在して袋状部が密閉されていない複数の二重遮水シートとを同一条件下で減圧してその後の袋状部内の圧力変化を測定した測定結果を示した図である。
【符号の説明】
１  上方遮水シート
２  下方遮水シート
３  袋状部
４  止水材
４ａ  上布
４ｂ  粘土状のベントナイト
４ｃ  下布
４ｄ  第一布
４ｅ  乾燥状態の珪砂
４ｆ  第二布
４ｇ  乾燥状態のベントナイト
４ｈ  第三布
５  弁
６  浮力体
６ａ  浮力体取り付け部材
７  中間不織布
８  吸引弁
９  連通部
【図１】
2004150112.tif 000003
【図２】
2004150112.tif 000004
【図３】
2004150112.tif 000005
【図４】
2004150112.tif 000006
【図５】
2004150112.tif 000007
【図６】
2004150112.tif 000008
【図７】
2004150112.tif 000009
【図８】
2004150112.tif 000010
【図９】
2004150112.tif 000011
【図１０】
2004150112.tif 000012
【図１１】
2004150112.tif 000013